(57)【特許請求の範囲】
【請求項１】
第１の抵抗膜、前記第１の抵抗膜と対向して配置された第２の抵抗膜、前記第１の抵抗膜に配置された第１の電極、及び、前記第２の抵抗膜に配置された第２の電極を含む抵抗膜方式のタッチパネル部と、
前記タッチパネル部を制御するタッチパネルコントローラーと、
前記タッチパネルコントローラーに電力が供給される第１の電力モードと、前記第１の電力モードより消費電力が少ない電力モードであり、前記タッチパネルコントローラーに電力が供給されない第２の電力モードとのうち、前記第２の電力モードにおいて、前記第１の電極を電源に接続するスイッチ部と、
前記第２の電力モードにおいて、前記第２の電極で検出される電圧が、前記タッチパネル部が押下されたことを示す値と判定した場合、前記第２の電力モードから前記第２の電力モードより消費電力が大きい電力モードに切り換えを命令する信号を出力する判定部と、を備え、
前記タッチパネル部は、一の方向に前記第１の電極と間隔を有して前記第１の抵抗膜に配置された第３の電極、及び、前記一の方向と直交する他の方向に前記第２の電極と間隔を有して前記第２の抵抗膜に配置された第４の電極を、さらに含む４線式抵抗膜方式のタッチパネルであり、
前記スイッチ部は、前記第２の電力モードにおいて、前記第１の電極を電源に接続し、前記第３の電極を接地しており、
前記判定部は、
前記タッチパネル部の前記第１の電極側の押下により前記第２の電極で検出される電圧である第１の電極側電圧と、前記タッチパネル部の前記第３の電極側の押下により前記第２の電極で検出される電圧である第３の電極側電圧とのうち、いずれの電圧が入力されても出力が反転する第１のコンパレーターと、
前記第１の電極側電圧と前記第３の電極側電圧とのうち、一方の電圧が入力されると出力が反転し、他方の電圧が入力されると出力が反転しない第２のコンパレーターと、を含むタッチパネル装置。
【請求項２】
前記第２の電力モードより消費電力が大きい電力モードとは、前記第１の電力モードであり、
請求項１に記載のタッチパネル装置と、
用紙に画像を形成する動作を実行する画像形成部と、
前記画像形成部が前記動作を実行できる通常電力モードである前記第１の電力モードと、前記画像形成部が前記動作を実行できない省電力モードである前記第２の電力モードとを切り換える制御をする電力モード制御部と、を備え、
前記電力モード制御部は、前記判定部から出力された前記信号に基づいて、前記第２の電力モードから前記第１の電力モードに切り換える制御をする画像形成装置。
【発明の詳細な説明】
【技術分野】
【０００１】
本発明は、消費電力が異なる電力モードで使用されるタッチパネル装置、及びそれを備えた画像形成装置に関する。
【背景技術】
【０００２】
従来の画像形成装置において、省電力モード時に液晶ディスプレイを消灯した状態で、タッチパネルのＸ方向の座標値のみを検出可能とし、タッチパネルが押下された位置のＸ方向の座標値に応じて、省電力モードから、コピーモード、ファクシミリモード、又はスキャナーモードに復帰する技術が提案されている(例えば、特許文献１参照)。
【先行技術文献】
【特許文献】
【０００３】
【特許文献１】特開２００６−２１１２２５号公報
【発明の概要】
【発明が解決しようとする課題】
【０００４】
上記画像形成装置によれば、省電力モード時にタッチパネルのＸ方向の座標値を検出可能にするために、省電力モードにおいて、タッチパネルコントローラーに電力を供給しなければならず、その分だけ電力を消費する。
【０００５】
本発明は、タッチパネルコントローラーに電力が供給されていなくても、タッチパネル部の押下を検知できるタッチパネル装置及びそれを備えた画像形成装置を提供することを目的とする。
【課題を解決するための手段】
【０００６】
上記目的を達成する本発明の一の局面に係るタッチパネル装置は、第１の抵抗膜、前記第１の抵抗膜と対向して配置された第２の抵抗膜、前記第１の抵抗膜に配置された第１の電極、及び、前記第２の抵抗膜に配置された第２の電極を含む抵抗膜方式のタッチパネル部と、前記タッチパネル部を制御するタッチパネルコントローラーと、前記タッチパネルコントローラーに電力が供給される第１の電力モードと、前記第１の電力モードより消費電力が少ない電力モードであり、前記タッチパネルコントローラーに電力が供給されない第２の電力モードとのうち、前記第２の電力モードにおいて、前記第１の電極を電源に接続するスイッチ部と、前記第２の電力モードにおいて、前記第２の電極で検出される電圧が、前記タッチパネル部が押下されたことを示す値と判定した場合、前記第２の電力モードから前記第２の電力モードより消費電力が大きい電力モードに切り換えを命令する信号を出力する判定部と、を備える。
【０００７】
本発明によれば、タッチパネルコントローラーに電力が供給される第１の電力モードより消費電力が少ない第２の電力モードにおいて、スイッチ部は第１の抵抗膜に配置された第１の電極を電源に接続する。そして、判定部は、第２の抵抗膜に配置された第２の電極で検出される電圧が、タッチパネル部が押下されたことを示す値と判定した場合、第２の電力モードから第２の電力モードより消費電力が大きい電力モードに切り換えを命令する信号を出力する。従って、タッチパネルコントローラーに電力が供給されていなくても、タッチパネル部の押下を検知することができる。
【０００８】
判定部には、例えば、第２の電力モードで第２の電極で検出される電圧と、第２の電力モードでタッチパネル部が押下されていない状態で第２の電極で検出される電圧を基にして予め設定された電圧とを比較し、第２の電極で検出される電圧が、タッチパネル部が押下されたことを示す値の場合に出力が反転するコンパレーターが含まれる。
【０００９】
第２の電力モードより消費電力が大きい電力モードとは、タッチパネル装置が取り付けられた電気機器(例えば、画像形成装置)が使用されている時の電力モードである通常電力モードでもよいし、上記電気機器が使用されていない時の電力モードである省電力モードでもよい。第２の電力モードより消費電力が大きい電力モードは、第１の電力モードでもよいし、それ以外の第２の電力モードより消費電力が大きい電力モードでもよい。
【００１０】
上記構成において、前記タッチパネル部は、一の方向に前記第１の電極と間隔を有して前記第１の抵抗膜に配置された第３の電極、及び、前記一の方向と直交する他の方向に前記第２の電極と間隔を有して前記第２の抵抗膜に配置された第４の電極を、さらに含む４線式抵抗膜方式のタッチパネルである。
【００１１】
この構成は、本発明に適用できるタッチパネル部の一例である。
【００１２】
上記構成において、前記スイッチ部は、前記第２の電力モードにおいて、前記第１の電極を電源に接続し、前記第３の電極を接地する。
【００１３】
第２の電力モードで第３の電極をフローティングにした場合、タッチパネル部が押下された際に、第１の電極から第２の電極に過度の電流が流れる可能性がある。この構成によれば、第２の電力モードにおいて、第３の電極を接地する。従って、第２の電力モードでタッチパネル部が押下された際に、第１の電極から第２の電極に過度の電流が流れることを防止できる。
【００１４】
上記構成において、前記判定部は、前記タッチパネル部の前記第１の電極側の押下により前記第２の電極で検出される電圧である第１の電極側電圧と、前記タッチパネル部の前記第３の電極側の押下により前記第２の電極で検出される電圧である第３の電極側電圧とのうち、いずれの電圧が入力されても出力が反転する第１のコンパレーターと、前記第１の電極側電圧と前記第３の電極側電圧とのうち、一方の電圧が入力されると出力が反転し、他方の電圧が入力されると出力が反転しない第２のコンパレーターと、を含む。
【００１５】
第２の電力モードでは第１の電極が電源に接続され、第３の電極が接地される。このため、タッチパネル部の中央に対して、タッチパネル部の第１の電極側の押下により第２の電極で検出される電圧である第１の電極側電圧と、タッチパネル部の第３の電極側の押下により第２の電極で検出される電圧である第３の電極側電圧とは、異なる値になる。この構成によれば、第１の電極側電圧と、第３の電極側電圧とのうち、いずれの電圧が入力しても出力が反転する第１のコンパレーター、及び、一方の電圧が入力すると出力が反転し、他方の電圧が入力すると出力が反転しない第２のコンパレーターを備える。従って、第２の電力モードでタッチパネル部が押下された場合、タッチパネル部の中央よりも、第１の電極側が押下されたのか、第３の電極側が押下されたのかを、区別して判定することができる。これにより、第１の電極側が押下された場合と、第３の電極側が押下された場合とで異なる処理を実行することができる(例えば、第１の電極側が押下されると、コピーモードに復帰し、第３の電極側が押下されると、スキャナーモードに復帰する処理を実行することができる)。
【００１６】
上記構成において、前記スイッチ部は、前記第２の電力モードにおいて、前記第１の電極及び前記第３の電極を電源に接続する。
【００１７】
この構成によれば、第２の電力モードにおいて、第３の電極をフローティングにした場合に比べて、第１の抵抗膜の電位を安定させることができる。従って、第２の電力モードにおいて、第２の電極で検出される電圧が、タッチパネル部が押下されたことを示す値の判定をより正確にすることができる。
【００１８】
本発明の他の局面に係る画像形成装置は、前記第２の電力モードより消費電力が大きい電力モードとは、前記第１の電力モードであり、上述したタッチパネル装置と、用紙に画像を形成する動作を実行する画像形成部と、前記画像形成部が前記動作を実行できる通常電力モードである前記第１の電力モードと、前記画像形成部が前記動作を実行できない省電力モードである前記第２の電力モードとを切り換える制御をする電力モード制御部と、を備え、前記電力モード制御部は、前記判定部から出力された前記信号に基づいて、前記第２の電力モードから前記第１の電力モードに切り換える制御をする。
【００１９】
本発明の他の局面に係る画像形成装置によれば、上述した本発明の一の局面に係るタッチパネル装置を備えることにより、省電力モード時に、タッチパネル部が押下されると、通常電力モードに復帰することができる。
【発明の効果】
【００２０】
本発明によれば、タッチパネルコントローラーに電力が供給されていなくても、タッチパネル部の押下を検知できる。
【図面の簡単な説明】
【００２１】
【図１】本発明の一実施形態に係る画像形成装置の内部構造の概略を示す図である。
【図２】図１に示す画像形成装置の構成を示すブロック図である。
【図３】本発明の一実施形態に係るタッチパネル装置の構成を示す回路図である。
【図４】本発明の一実施形態に係るタッチパネル装置の第２の変形例の構成を示す回路図である。
【図５】第２の変形例のタッチパネル装置を備えた画像形成装置において、省電力モードから通常電力モードに復帰する処理を説明するフローチャートである。
【発明を実施するための形態】
【００２２】
以下、図面に基づいて本発明の実施形態を詳細に説明する。図１は本発明の一実施形態に係る画像形成装置１の内部構造の概略を示す図である。画像形成装置１は例えば、コピー、プリンタ、スキャナ及びファクシミリの機能を有するデジタル複合機に適用することができる。画像形成装置１は装置本体１００、装置本体１００の上に配置された原稿読取部２００、原稿読取部２００の上に配置された原稿給送部３００及び装置本体１００の上部前面に配置された操作部４００を備える。
【００２３】
原稿給送部３００は自動原稿送り装置として機能し、原稿載置部３０１に置かれた複数枚の原稿を連続的に原稿読取部２００に送ることができる。
【００２４】
原稿読取部２００は露光ランプ等を搭載したキャリッジ２０１、ガラス等の透明部材により構成された原稿台２０３、不図示のＣＣＤ(Charge Coupled Device)センサー及び原稿読取スリット２０５を備える。原稿台２０３に載置された原稿を読み取る場合、キャリッジ２０１を原稿台２０３の長手方向に移動させながらＣＣＤセンサーにより原稿を読み取る。これに対して、原稿給送部３００から給送された原稿を読み取る場合、キャリッジ２０１を原稿読取スリット２０５と対向する位置に移動させて、原稿給送部３００から送られてきた原稿を、原稿読取スリット２０５を通してＣＣＤセンサーにより読み取る。ＣＣＤセンサーは読み取った原稿を画像データとして出力する。
【００２５】
装置本体１００は用紙貯留部１０１、画像形成部１０３及び定着部１０５を備える。用紙貯留部１０１は装置本体１００の最下部に配置されており、用紙の束を貯留することができる用紙トレイ１０７を備える。用紙トレイ１０７に貯留された用紙の束において、最上位の用紙がピックアップローラー１０９の駆動により、用紙搬送路１１１へ向けて送出される。用紙は用紙搬送路１１１を通って、画像形成部１０３へ搬送される。
【００２６】
画像形成部１０３は搬送されてきた用紙にトナー画像を形成する。画像形成部１０３は感光体ドラム１１３、露光部１１５、現像部１１７及び転写部１１９を備える。露光部１１５は画像データ(原稿読取部２００から出力された画像データ、パソコンから送信された画像データ、ファクシミリ受信の画像データ等)に対応して変調された光を生成し、一様に帯電された感光体ドラム１１３の周面に照射する。これにより、感光体ドラム１１３の周面には画像データに対応する静電潜像が形成される。この状態で感光体ドラム１１３の周面に現像部１１７からトナーを供給することにより、周面には画像データに対応するトナー画像が形成される。このトナー画像は転写部１１９によって先ほど説明した用紙貯留部１０１から搬送されてきた用紙に転写される。
【００２７】
トナー画像が転写された用紙は定着部１０５に送られる。定着部１０５において、トナー画像と用紙に熱と圧力が加えられて、トナー画像は用紙に定着される。用紙はスタックトレイ１２１又は排紙トレイ１２３に排紙される。
【００２８】
操作部４００は操作キー部４０１と表示部４０３を備える。表示部４０３はタッチパネル機能を有しており、ソフトキーを含む画面が表示される。ユーザーは画面を見ながらソフトキーを操作することによって、コピー等の機能の実行に必要な設定等をする。
【００２９】
操作キー部４０１にはハードキーからなる操作キーが設けられている。具体的にはスタートキー４０５、テンキー４０７、ストップキー４０９、リセットキー４１１、コピー、プリンタ、スキャナ及びファクシミリを切り換えるための機能切換キー４１３等が設けられている。
【００３０】
スタートキー４０５はコピー、ファクシミリ送信等の動作を開始させるキーである。テンキー４０７はコピー部数、ファクシミリ番号等の数字を入力するキーである。ストップキー４０９はコピー動作等を途中で中止させるキーである。リセットキー４１１は設定された内容を初期設定状態に戻すキーである。
【００３１】
機能切換キー４１３はコピーキー及び送信キー等を備えており、コピー機能、送信機能等を相互に切り替えるキーである。コピーキーを操作すれば、コピーの初期画面が表示部４０３に表示される。送信キーを操作すれば、ファクシミリ送信及びメール送信の初期画面が表示部４０３に表示される。
【００３２】
図２は図１に示す画像形成装置１の構成を示すブロック図である。画像形成装置１は装置本体１００、原稿読取部２００、原稿給送部３００、操作部４００、制御部５００、通信部６００、第１の電源部Ｖ１及び第２の電源部Ｖ２が、バスによって相互に接続された構成を有する。装置本体１００、原稿読取部２００、原稿給送部３００及び操作部４００に関しては既に説明したので、説明を省略する。
【００３３】
制御部５００はＣＰＵ(Central Processing Unit)、ＲＯＭ(Read Only Memory)、ＲＡＭ(Random Access Memory)及び画像メモリ等を備える。ＣＰＵは画像形成装置１を動作させるために必要な制御を、装置本体１００等の画像形成装置１の上記構成要素に対して実行する。ＲＯＭは画像形成装置１の動作の制御に必要なソフトウェアを記憶している。ＲＡＭはソフトウェアの実行時に発生するデータの一時的な記憶及びアプリケーションソフトの記憶等に利用される。画像メモリは画像データ(原稿読取部２００から出力された画像データ、パソコンから送信された画像データ、ファクシミリ受信の画像データ等)を一時的に記憶する。
【００３４】
制御部５００は電力モード制御部５０１の機能を有する。電力モード制御部５０１は通常電力モードと省電力モードとを切り換える制御をする。
【００３５】
通常電力モード(第１の電力モードの一例)では、装置本体１００、原稿読取部２００、原稿給送部３００、操作部４００、制御部５００、及び通信部６００がそれぞれ動作をすることができ、第１の電源部Ｖ１からの電力が、装置本体１００、原稿読取部２００、原稿給送部３００、操作部４００、制御部５００、及び通信部６００に供給される。従って、通常電力モードでは、画像形成部１０３が画像を形成する動作を実行することができる。
【００３６】
省電力モード(第２の電力モードの一例)は、装置本体１００等が使用されていない状態において、通常電力モードから切り換わる電力モードであり、通常電力モードよりも消費電力が少ない電力モードである。省電力モードでは、第２の電源部Ｖ２からの電力が、後で説明する図３に示すスイッチ部１４及びコンパレーター１５等に供給される。
【００３７】
通信部６００はファクシミリ通信部６０１及びネットワークＩ／Ｆ部６０３を備える。ファクシミリ通信部６０１は相手先ファクシミリとの電話回線の接続を制御するＮＣＵ(Network Control Unit)及びファクシミリ通信用の信号を変復調する変復調回路を備える。ファクシミリ通信部６０１は電話回線６０５に接続される。
【００３８】
ネットワークＩ／Ｆ部６０３はＬＡＮ(Local Area Network)６０７に接続される。ネットワークＩ／Ｆ部６０３はＬＡＮ６０７に接続されたパソコン等の端末装置との間で通信を実行するための通信インターフェイス回路である。
【００３９】
次に、表示部４０３を構成する本発明の一実施形態に係るタッチパネル装置について説明する。図３はこのタッチパネル装置３ａの構成を示す回路図である。タッチパネル装置３ａは、タッチパネル部１１、スクリーン部１２、タッチパネルコントローラー１３、スイッチ部１４及びコンパレーター１５を備える。
【００４０】
タッチパネル部１１は４線式抵抗膜方式のタッチパネルである。タッチパネル部１１は第１の抵抗膜２１、第１の抵抗膜２１と対向して配置された第２の抵抗膜２２、第１の電極２３、第２の電極２４、第３の電極２５及び第４の電極２６を含む。第１の電極２３と第３の電極２５とは、Ｘ方向(一の方向の一例)に間隔を有して第１の抵抗膜２１に配置されている。第２の電極２４と第４の電極２６とは、Ｙ方向(他の方向の一例)に間隔を有して第２の抵抗膜２２に配置されている。
【００４１】
タッチパネル部１１はスクリーン部１２の上に配置されている。スクリーン部１２は、例えば液晶ディスプレイであり、画像形成装置１の操作画面を表示する機能を有する。
【００４２】
タッチパネルコントローラー１３は、タッチパネル部１１及びスクリーン部１２を制御する。タッチパネルコントローラー１３は、制御部５００のＣＰＵ１６とバス１７によって接続されている。タッチパネルコントローラー１３には、第１の電極２３と接続されている配線２７、第２の電極２４と接続されている配線２８、第３の電極２５と接続されている配線２９、第４の電極２６と接続されている配線３０、及びスクリーン部１２と接続されている配線３１が接続されている。
【００４３】
タッチパネルコントローラー１３には通常電力モード(第１の電力モードの一例)の場合、第１の電源部Ｖ１から電力が供給され、省電力モード(第２の電力モードの一例)の場合、電力が供給されない。
【００４４】
タッチパネルコントローラー１３は、通常電力モード時に、画像形成装置１の操作画面をスクリーン部１２に表示させる制御をし、操作画面に含まれるキー画像を、ユーザーが押下すると、以下のようにして、そのキー画像のＸ座標とＹ座標を算出する。
【００４５】
タッチパネルコントローラー１３はＸ座標測定時、第１の電極２３を第１の電源部Ｖ１に接続し、第３の電極２５を接地する。ユーザーがキー画像を押下(タッチパネル部１１を押下)することにより、第１の抵抗膜２１と第２の抵抗膜２２とが接触した箇所(押下箇所)での第１の抵抗膜２１の電圧が、第２の電極２４で検出される。この電圧はタッチパネルコントローラー１３に入力され、タッチパネルコントローラー１３は押下箇所のＸ座標を演算する。
【００４６】
タッチパネルコントローラー１３はＹ座標測定時、第２の電極２４を第１の電源部Ｖ１に接続し、第４の電極２６を接地に接続する。押下箇所での第２の抵抗膜２２の電圧が、第１の電極２３で検出される。この電圧はタッチパネルコントローラー１３に入力され、タッチパネルコントローラー１３は押下箇所のＹ座標を演算する。以上により、スクリーン部１２に表示される操作画面に含まれるキー画像のうち、どのキー画像が押下されたかを特定することができる。
【００４７】
スイッチ部１４はＮＰＮのバイポーラトランジスタＴ１、バイポーラトランジスタＴ２及びバイポーラトランジスタＴ３を備える。バイポーラトランジスタＴ１のコレクターは、第２の電源部Ｖ２と接続されており、エミッターは第１の電極２３と接続されている配線２７に接続されており、ベースには電力モード制御部５０１(図２)からの信号が入力される。バイポーラトランジスタＴ１は第１の電極２３を第２の電源部Ｖ２と接続・切り離しをするスイッチとして機能する。
【００４８】
バイポーラトランジスタＴ２のコレクターは、第３の電極２５と接続されている配線２９に接続されており、エミッターは接地されており、ベースには電力モード制御部５０１からの信号が入力される。バイポーラトランジスタＴ２は第３の電極２５をグランドと接続・切り離しをするスイッチとして機能する。
【００４９】
バイポーラトランジスタＴ３のコレクターは、第２の電極２４と接続されている配線２８に接続されており、エミッターは後で説明するコンパレーター１５の非反転入力端子と配線３２によって接続されており、ベースには電力モード制御部５０１からの信号が入力する。配線３２はプルダウン抵抗３３を介して接地されている。バイポーラトランジスタＴ３は第２の電極２４をコンパレーター１５の非反転入力端子と接続・切り離しをするスイッチとして機能する。
【００５０】
電力モード制御部５０１は、通常電力モード時、バイポーラトランジスタＴ１，Ｔ２，Ｔ３をオフさせる信号を、バイポーラトランジスタＴ１，Ｔ２，Ｔ３のそれぞれのベースに出力する。電力モード制御部５０１は、省電力モード時、バイポーラトランジスタＴ１，Ｔ２，Ｔ３をオンさせる信号を、バイポーラトランジスタＴ１，Ｔ２，Ｔ３のそれぞれのベースに出力する。
【００５１】
電力モード制御部５０１は通常電力モードから省電力モードに切り換えるとき、電源を第１の電源部Ｖ１から第２の電源部Ｖ２に切り換える。これにより、ＣＰＵ１６、タッチパネルコントローラー１３、スクリーン部１２には電力が供給されないが、スイッチ部１４及びコンパレーター１５には第２の電源部Ｖ２から電力が供給される。
【００５２】
コンパレーター１５の非反転入力端子には、上述したように配線３２が接続されている。コンパレーター１５の反転入力端子は、抵抗３４を介して第２の電源部Ｖ２と接続されており、抵抗３５を介して接地されている。コンパレーター１５の＋Ｖｃｃ端子は第２の電源部Ｖ２に接続され、−Ｖｃｃ端子は接地されている。省電力モード時に、コンパレーター１５の反転入力端子には、次に説明する予め設定された電圧が入力される。この電圧値は抵抗３４と抵抗３５の値により設定される。コンパレーター１５から出力された信号は、電力モード制御部５０１(制御部５００のＣＰＵ１６)に送られる。
【００５３】
省電力モード時に、コンパレーター１５の反転入力端子に入力される電圧について説明する。配線３２がプルダウン抵抗３３に接続されているので、タッチパネル部１１が押下されていない状態では、第２の電極２４で検出される電圧は０Ｖである。このため、コンパレーター１５の非反転入力端子に入力される電圧は、０Ｖである。
【００５４】
省電力モードにおいて、第１の電極２３は第２の電源部Ｖ２と接続され、第３の電極２５は接地されているので、第２の電極２４で検出される電圧は、タッチパネル部１１が押下された箇所のＸ方向の位置に応じて異なる。第２の電極２４で検出される一番大きい電圧は、第１の電極２３付近を押下したときであり、例えば、第２の電源部Ｖ２の電圧を５．０Ｖとした場合、４．５Ｖとする。第２の電極２４で検出される一番小さい電圧は、第３の電極２５付近を押下したときであり、例えば、０．５Ｖとする。従って、コンパレーター１５の反転入力端子に入力される電圧は、０Ｖより大きく、０．５Ｖより小さい値(例えば、０．３Ｖ)に設定される。
【００５５】
省電力モードにおいて、タッチパネル部１１が押下されていない場合、第２の電極２４で検出される電圧は０Ｖとなるので、コンパレーター１５から出力される信号の電圧はＬレベルとなる。一方、タッチパネル部１１が押下された場合、第２の電極２４で検出される電圧は０．５Ｖ以上となる。これにより、コンパレーター１５の非反転入力端子に入力される電圧は、反転入力端子に入力される電圧(０．３Ｖ)より大きくなるので、コンパレーター１５から出力される信号の電圧はＨレベルとなる。このように、コンパレーター１５は判定部の一例であり、省電力モード(第２の電力モード)において第２の電極２４で検出される電圧が、タッチパネル部１１が押下されたことを示す値と判定した場合、省電力モードから通常電力モード(第２の電力モードより消費電力が大きい電力モードの一例)に切り換えを命令する信号(Ｈレベルの信号)を出力する。
【００５６】
本実施形態の主な効果を説明する。本実施形態によれば、タッチパネルコントローラー１３に電力が供給される通常電力モードより消費電力が少なく、タッチパネルコントローラー１３に電力が供給されない省電力モードにおいて、スイッチ部１４は第１の抵抗膜２１に配置された第１の電極２３を第２の電源部Ｖ２に接続し、第３の電極２５を接地する。そして、コンパレーター１５は、第２の抵抗膜２２に配置された第２の電極２４で検出される電圧が、タッチパネル部１１が押下されたことを示す値と判定した場合、省電力モードから通常電力モードに切り換えを命令する信号を出力する。これにより、電力モード制御部５０１は、画像形成装置１が省電力モードから通常電力モードに復帰する制御をする。従って、省電力モード時にタッチパネルコントローラー１３に電力が供給されていなくても、タッチパネル部１１の押下を検知することができ、これにより、通常電力モードに復帰することができる。
【００５７】
また、本実施形態によれば、省電力モードにおいて、タッチパネルコントローラー１３に電力が供給されないので、省電力モードにおいてタッチパネルコントローラー１３に電力が供給される場合に比べて、省電力モードでの消費電力を低くすることができる。
【００５８】
さらに、本実施形態によれば、省電力モードにおいて、スイッチ部１４が、第１の電極２３を第２の電源部Ｖ２に接続し、第３の電極２５を接地している。省電力モードで第３の電極２５をフローティングにした場合、タッチパネル部１１が押下された際に、第１の電極２３から第２の電極２４に過度の電流が流れる可能性がある。本実施形態では、省電力モードにおいて、第３の電極２５を接地する。従って、省電力モードでタッチパネル部１１が押下された際に、第１の電極２３から第２の電極２４に過度の電流が流れることを防止できる。
【００５９】
本実施形態の変形例を説明する。第１の変形例は、省電力モード(第２の電力モードの一例)において、スイッチ部１４が、第１の電極２３及び第３の電極２５を第２の電源部Ｖ２に接続する。
【００６０】
第１の変形例によれば、省電力モードにおいて、第３の電極２５をフローティングにした場合に比べて、第１の抵抗膜２１の電位を安定させることができる。従って、省電力モードにおいて、第２の電極２４で検出される電圧が、タッチパネル部１１が押下されたことを示す値の判定をより正確にすることができる。
【００６１】
図４は第２の変形例のタッチパネル装置３ｂの構成を示す回路図である。第２の変形例では図３に示すタッチパネル装置３ａに、さらに、コンパレーター４１と、コンパレーター４１の反転入力端子に入力される電圧を設定するための抵抗４２，４３が追加されている。
【００６２】
コンパレーター４１の非反転入力端子には、配線３２に接続された配線４４が接続されている。コンパレーター４１の反転入力端子は、抵抗４２を介して第２の電源部Ｖ２と接続されており、抵抗４３を介して接地されている。コンパレーター４１から出力された信号は、電力モード制御部５０１(制御部５００のＣＰＵ１６)に送られる。コンパレーター４１の＋Ｖｃｃ端子は第２の電源部Ｖ２に接続され、−Ｖｃｃ端子は接地されている。
【００６３】
省電力モード時に、コンパレーター４１(第２のコンパレーターの一例)の反転入力端子には、予め設定された電圧が入力される。この電圧値は抵抗４２と抵抗４３の値により設定され、コンパレーター１５(第１のコンパレーターの一例)の反転入力端子に入力される電圧(例えば、０．３Ｖ)より、大きな値が設定される。この値について説明する。
【００６４】
上述したように省電力モードにおいて、第１の電極２３は第２の電源部Ｖ２と接続され、第３の電極２５は接地されているので、第２の電極２４で検出される電圧は、タッチパネル部１１が押下された箇所のＸ方向の位置に応じて異なる。第１の電極２３付近を押下したときに、第２の電極２４で検出される電圧が一番大きくなり(例えば、４．５Ｖ)、第３の電極２５付近を押下したときに、第２の電極２４で検出される電圧が一番小さくなる(例えば、０．５Ｖ)。第１の電極２３と第３の電極２５との中間付近を押下すると、最大の電圧と最小の電圧との中間の電圧となる(例えば、２．５Ｖ)。この中間の電圧を、コンパレーター４１の反転入力端子に入力される電圧にする。これにより、タッチパネル部１１の中央よりも、第３の電極２５側が押下されると、コンパレーター１５から出力される信号の電圧はＨレベルとなるが、コンパレーター４１から出力される信号の電圧はＬレベルのままである。一方、タッチパネル部１１の中央よりも、第１の電極２３側が押下されると、コンパレーター１５から出力される信号の電圧、コンパレーター４１から出力される信号の電圧はいずれもＨレベルとなる。
【００６５】
従って、省電力モードでタッチパネル部１１が押下された場合、第１の電極２３側が押下されたのか、第３の電極２５側が押下されたのかを、区別して判定することができる。これにより、第１の電極２３側が押下された場合と、第３の電極２５側が押下された場合とで異なる処理を実行することができる。この処理の一例を説明する。図５は第２の変形例のタッチパネル装置３ｂを備えた画像形成装置１において、省電力モードから通常電力モードに復帰する処理を説明するフローチャートである。例えば、タッチパネル部１１の周囲に、「タッチパネルの左側(第１の電極２３側)を押下すると、コピーモードに復帰し、タッチパネルの右側(第３の電極２５側)を押下すると、スキャナーモードに復帰します」と表示されたラベルを貼り付ける。
【００６６】
画像形成装置１が使用されない時間が、所定時間を超えると、電力モード制御部５０１は通常電力モードから省電力モードに切り換える(ステップＳ１)。コンパレーター１５は、タッチパネル部１１が押下されたか判定する(ステップＳ２)。コンパレーター１５が、タッチパネル部１１が押下されたと判定しない場合(ステップＳ２でＮｏ)、ステップＳ１に戻る。
【００６７】
電力モード制御部５０１は、タッチパネル部１１が押下されたことをコンパレーター１５により判定された場合(ステップＳ２でＹｅｓ)、コンパレーター１５，４１から出力される信号の電圧を基にして、第１の電極２３側が押下(コピーモードに復帰が選択)されたのか、第３の電極２５側が押下(スキャナーモードに復帰が選択)されたのか判断する。
【００６８】
第３の電極２５側が押下されると、コンパレーター１５から出力される信号の電圧はＨレベルとなるが、コンパレーター４１から出力される信号の電圧はＬレベルのままである。第１の電極２３側が押下されると、コンパレーター１５から出力される信号の電圧、コンパレーター４１から出力される信号の電圧はいずれもＨレベルとなる。
【００６９】
従って、コンパレーター１５から出力される信号の電圧、コンパレーター４１から出力される信号の電圧がいずれもＨレベルの場合、電力モード制御部５０１はタッチパネル部１１の押下箇所が第１の電極２３側と判断し(ステップＳ３でＹｅｓ)、コピーモードで通常モードに復帰する(ステップＳ４)。
【００７０】
コンパレーター１５から出力される信号の電圧がＨレベルであり、コンパレーター４１から出力される信号の電圧がＬレベルの場合、電力モード制御部５０１はタッチパネル部１１の押下箇所が第３の電極２５側と判断し(ステップＳ３でＮｏ)、スキャナーモードで通常モードに復帰する(ステップＳ５)。
【００７１】
以上説明したように、第２の変形例によれば、省電力モードでタッチパネル部１１が押下された場合、タッチパネル部１１の中央に対して、第１の電極２３側が押下されたのか、第３の電極２５側が押下されたのかを、区別して判定することができる。これにより、第１の電極２３側が押下された場合と、第３の電極２５側が押下された場合とで異なる処理を実行することができる。
【符号の説明】
【００７２】
１  画像形成装置
３ａ，３ｂ  タッチパネル装置
１１  タッチパネル部
１３  タッチパネルコントローラー
１４  スイッチ部(トランジスタＴ１，Ｔ２，Ｔ３)
１５  コンパレーター(第１のコンパレーター)
２１  第１の抵抗膜
２２  第２の抵抗膜
２３  第１の電極
２４  第２の電極
２５  第３の電極
２６  第４の電極
４１  コンパレーター(第２のコンパレーター)
【図１】
0005597600.tif 000002
【図２】
0005597600.tif 000003
【図３】
0005597600.tif 000004
【図４】
0005597600.tif 000005
【図５】
0005597600.tif 000006